【事件の表示】
　平成１０年特許願第１１６５２８号「光学走査装置」拒絶査定不服審判事件〔平成１１年　１月２２日出願公開、特開平１１−　１７８９４〕について、次のとおり審決する。
【結　論】
　本件審判の請求は、成り立たない。
【理　由】
１．手続の経緯・本願発明
　本願は、平成１０年４月２７日（パリ条約による優先権主張１９９７年５月１６日、米国）の出願であって、その請求項１に係る発明は、平成１５年９月３０日付けの手続補正書によって補正された明細書及び図面の記載からみて、本願の特許請求の範囲の請求項１に記載されたとおりのものと認める。（以下、「本願発明」という。）
「【請求項１】媒体を走査する光学走査装置において、
　前記媒体から画像データを得るように指定されている中央部及び各々が媒体の端縁を表すデータを得るよう指定されている一対の端部に論理的に分割されており、前記媒体の幅よりも広い幅を有する光学変換器と
　前記媒体の前隅の位置である第１の点及び前記媒体の端縁に沿う少なくとも１つの点の位置を表すデータを検出するように構成されたデータ分析回路
を設け、
　前記データ分析回路は、前記前隅を表す第１のデータ点及び前記第２のデータ点、及び予め与えられたあるいは仮定された媒体の長さに基づいて前記端縁に沿った後隅を表す第３の点の位置を補外して予測するように構成されている
　ことを特徴とする光学走査装置。」
 　
２．引用例
（１）特開平６−７８１１１号公報
　これに対し、当審の拒絶の理由に刊行物１として引用された、本願の優先権主張の日前である平成６年３月１８日に頒布された特開平６−７８１１１号公報（以下、「引用例１」という。）には、次の事項が記載されている。
　（ａ）「【特許請求の範囲】
　　【請求項１】　複数個の受光素子を有するイメージセンサにおいて、各光電変換素子のピッチを端部付近と中央部で変えたことを特徴とするイメージセンサ。
　　【請求項２】　原稿読取装置において、受光部に請求項１に記載のイメージセンサを用い、該イメージセンサの中央部で原稿上の画像を読み取り、端部で原稿の位置ずれ、傾き等を検出することを特徴とする原稿読取装置。」（引用例１の２頁１欄１〜８行、【特許請求の範囲】）
　（ｂ）「【０００８】
　　【実施例】
　図１は、本発明のイメージセンサの第１の実施例の受光素子の配列を示す説明図である。図中、１は中央部の受光素子、２は端部付近の受光素子、３は配線部、４は中央部領域、５は端部領域である。
　　　【０００９】
　中央部の受光素子１は、原稿上の画像を読み取るために、従来のものと同様に、一定密度、例えば、８ドット／ｍｍ，１６ドット／ｍｍ、あるいは、２００ドット／インチ，４００ドット／インチ等の密度で配置される。また、端部付近の受光素子２は、中央部センサの密度よりも粗い密度、例えば、半分程度の密度で配置され、中央部の受光素子１の配列密度が８ドット／ｍｍの場合、４〜６ドット／ｍｍの密度で配置することができる。端部付近の受光素子２は、イメージセンサと原稿との相対的な位置ずれ、傾きを検出するために用いる。配線部３は、各受光素子１，２より導出され、図示しない駆動回路等に接続されている。
　　　【００１０】
　イメージセンサは、中央部領域４と、その領域を挟む端部領域５からなり、中央部領域４には受光素子１が、端部領域５には受光素子２が配置される。中央部領域は、用いられる原稿読取装置の最大原稿幅に応じて設定される。例えば、Ｂ４の幅にほぼ等しく設定することができる。端部領域５は、中央部領域４の両端に設けられており、位置ずれや傾きが検出できる程度の長さを有している。例えば、Ｂ４の原稿で、角度が１度程度までの傾きを検出する場合、
　３６４ｍｍ×ｓｉｎ１゜＝約６．４ｍｍ
の長さがあれば検出可能である。通常の位置ずれや傾きの検出では、端部が左右それぞれ３ｍｍ以上あればよい。
　　　【００１１】
　具体例として、原稿の大きさがＢ４、読取密度が８ドット／ｍｍの場合を考える。通常用いられているイメージセンサの場合、２０４８ビットで２５６ｍｍの有効幅を有しているが、これをＢ４の紙幅と同じ２５７ｍｍとし、その両側に位置ずれ、傾きを検出するための領域を片側６ｍｍずつ設ける。すると、イメージセンサの全長は、
　２５７ｍｍ＋１２ｍｍ＝２６９ｍｍ
となる。従来のように、この全長にわたり、一定密度で受光素子を配置すると、受光素子のビット数は、
　２６９ｍｍ×８＝２１５２ビット
が必要となる。また、各受光素子を駆動するための駆動回路は、通常、６４ビットあるいは１２８ビットの受光素子ごとに駆動できるようにＩＣ化されており、このような駆動用ＩＣを用いた場合、２１５２ビットのセンサを動作させるためには、６４ビット用の駆動用ＩＣが３４個必要となる。原稿の読み取りのみで、２０４８ビットのイメージセンサの場合には、３２個の駆動用ＩＣでよいから、位置ずれ、傾きを検出するように、長尺にした場合には、駆動用ＩＣを２個多く使用する必要がある。本発明のように、片側６ｍｍの位置ずれ、傾きの検出部分の密度を粗くして、４ドット／ｍｍ程度にすると、
　２５７ｍｍ×８＋１２ｍｍ×４＝２１０４ビット
でよく、この場合には、駆動用ＩＣが３３個で済むから、駆動用ＩＣの使用数を減らすことができる。
　　　【００１２】
　図２は、原稿読取装置における本発明の第１の実施例のイメージセンサと原稿との関係の一例の説明図である。図中、図１と同様の部分には同じ符号を付して説明を省略する。８はイメージセンサ、９は搬送路、１０は原稿である。この例では、イメージセンサ８が固定され、搬送路９に沿って、原稿１０が図中、下から上へ搬送されるものとする。イメージセンサ８は、上述の本発明の第１の実施例で述べたものである。原稿８は、位置ずれおよびスキューを伴って、搬送されている。正規の原稿の位置は、破線で示している。搬送路９の表面は、原稿１０の端部が検出できるように、例えば、黒色になっている。原稿１０の搬送とともに、イメージセンサ８によって１ラインずつ順次読み取りを行なう。その際に、イメージセンサ１の中央部領域４で受光された信号により、原稿１０上の画像が読み取られ、また、端部領域５で受光された信号に基づき、搬送路９と原稿１０の反射率の違いから、原稿１０の端部の検出が行なわれる。その際、図中左側では、端部領域５内に原稿１０の端部があるので、端部領域５により端部の検出が行なわれるが、図中右側では、原稿１０の端部は、中央部領域４内にある。このような場合には、中央部領域４内の受光素子１を用いて、原稿１０の右端の検出を行なうように構成することができる。原稿１０の端部の検出は、各ラインごと、または、数ラインごとに行なわれ、スキュー量の測定や、原稿１０の外形の検出が行なわれる。この場合、原稿１０の端部が、端部付近の受光素子２にかかる部分では、原稿の読取データの密度が、中央領域より粗くなるが、原稿の端部は、一般的に印字されていないことが多いから、さほど問題となることはない。端部付近の受光素子２に原稿１０がかかった場合は、端部付近の受光素子２の中間データを補完するようにしてもよい。傾斜が大きい場合は、警報を発するようにしてもよい。
　　　【００１３】
　なお、読み取るべき原稿サイズが複数種類ある場合には、イメージセンサ８は、読み取るべき原稿サイズのうちの最大の大きさに合わせて構成される。最大サイズの原稿以外の、小さい原稿の場合、中央部の受光素子２が、画像読取および位置ずれ、傾きの検出用に用いられる。」（引用例１の２頁２欄２３行〜３頁４欄１７行、段落【０００８】〜【００１３】）
　
　これらの記載事項によると、引用例１には、次のことが記載されている。
「原稿を走査する複数個の受光素子からなるイメージセンサ８を有する原稿読取装置において、
　各光電変換素子のピッチを端部付近と中央部で変え、中央部で原稿上の画像を読み取り、端部で原稿の位置ずれ、傾き等を検出する、
　詳細には、原稿８は、位置ずれおよびスキューを伴って、搬送され、イメージセンサ８によって１ラインずつ順次読み取りを行われ、その際に、イメージセンサ１の中央部領域４で受光された信号により、原稿１０上の画像が読み取られ、また、端部領域５で受光された信号に基づき、搬送路９と原稿１０の反射率の違いから、原稿１０の端部の検出が行なわれ、その際、図２中左側では、端部領域５内に原稿１０の端部があるので、端部領域５により端部の検出が行なわれ、図２中右側では、原稿１０の端部は、中央部領域４内にあるので、このような場合には、中央部領域４内の受光素子１を用いて、原稿１０の右端の検出を行ない、原稿１０の端部の検出は、各ラインごと、または、数ラインごとに行なわれ、スキュー量の測定や、原稿１０の外形の検出が行なわれ、傾斜が大きい場合は、警報を発せられ、
　なお、読み取るべき原稿サイズが複数種類ある場合には、イメージセンサ８は、読み取るべき原稿サイズのうちの最大の大きさに合わせて構成され、最大サイズの原稿以外の、小さい原稿の場合、中央部の受光素子２が、画像読取および位置ずれ、傾きの検出用に用いられる、
　ことを特徴とする原稿読取装置。」
（以下、「引用例１記載の発明」という。）
　
３．周知例
（１）特開平４−３０６９６３号公報
　当審の拒絶理由通知書で刊行物３として引用された、特開平４−３０６９６３号公報（以後、「周知例１」という。）には次のことが記載されている。
　　（ａ）「【請求項１】　ファクシミリ送信時において、原稿がスキャナ入口にセットし、原稿を数ライン読込み後原稿の挿入角度を算出し、その算出値が予め設定した基準角度を超える場合は、原稿を送り込むモータを停止し、逆転させて原稿を自動排出させる構成としたことを特徴とするファクシミリ装置。」（周知例１の２頁１欄２〜７行、段落【特許請求の範囲】）
　　（ｂ）「図３はスキャナ読取り部１４を説明する図であって、図３（ａ）において、１７は原稿、１８はそのセットのためのガイド、１９は読取り幅Ｌであり、原稿１７の１ライン分の主走査方向のデータが、副走査線方向に向ってメモリ上に記憶される。１ラインのデータはＧドットで、これは総画素数Ｇでもある。１ドット（＝ビット）はＬ／Ｇ（ｍｍ）として表される。また、副走査方向は、走査線密度をＦとすると１ライン（＝ドット）は１／Ｆ（ｍｍ／ドット）で表される。なお、図３（ｂ）のようにプラテンローラ１４ａの色は黒であるからメモリ上の読み込み値は“１”、原稿１７の地は白であるから読込み値は“０”となる。
　図４、及び図５はスキャナ読取り部１４で原稿１７を読み取り後原稿角度の計算式を説明する図で、両図中、ｄは１ライン目を読み込んだメモリ上のデータで、原稿のある位置（ある１点）を示し初めて“０”が出現するまでのビット数を示している。また、ｅは１ライン目以降の原稿の位置を示し、初めてメモリ上で“０”が出現するまでのビット数である。Ｇ／２ドットは１ラインの半分に相当する位置を示し、２０は原稿１７が斜めに読み込まれた場合の原稿１７の傾き角度θｃであり、図４のように原稿１７がスキャナ読取り部１４に対して時計回りに傾く時、傾き角度θｃは次の数式（数１）で計算される。この場合、ｄ＜Ｇ／２が限度条件となる。」（周知例１の２頁２欄４２行〜３頁３欄１４行、段落【０００８】の後半部分）
　これらの記載より、周知例１には次のことが記載されている。
　「
原稿を数ライン読込み、読み込んだ最初のラインと最後のラインから原稿読込み部における原稿の傾き角度を算出する
　
（２）特開平４−３０６０６５号公報（以下、「周知例２」という。）
　（ａ）「【請求項１】読み取りラインごとに読み取りデータとともに原稿のエッジ情報を読み取る読み取り部と、前記読み取り部の読み取りデータを一時記憶する第１のイメージバッファと、前記第１のイメージバッファに記憶されている初回ラインと所定ライン後の前記原稿のエッジ情報とから原稿の回転角度を求め、この原稿の回転角度を回転・移動補正したデータを出力する情報補正部と、前記情報補正部の出力データを一時記憶する第２のイメージバッファとを備えたファクシミリ装置。」（周知例２の２頁１欄２〜１０行、段落【特許請求の範囲】）
　（ｂ）「【０００６】【作用】本発明はこの構成によって、送信する原稿の読み込み終了時、最初のラインと数ライン後のラインのデータとから、原稿の読み込み部での角度を算出し、読み込まれたデータを回転・移動補正することにより、斜めに吸い込まれた原稿を、ほぼスキャナー部へ垂直に吸い込まれた状態に補正して送信することができ、原画情報を正しく相手に伝えることができる。」（周知例２の２頁１欄４２〜４９行、段落【０００６】）
　（ｃ）「【００１３】　図４と図６は、原稿読み取り後、原稿角度を計算する式を説明したものである。図中のｄ１は、１ライン目を読み込んだ後のメモリ上のデータで、初めて０が出現するまでのビット数を示すもので、これは原稿の位置（図中のＶｅｒｔｅｘ１）を示している。ｄｎは、１ライン以降（ｎライン目）の原稿の位置（メモリ上で初めて０が出現するまでのビット数）を示している。Ｇ／２は１ラインの半分に相当する位置を示している。θｃ１７は、原稿が斜めに読み込まれたときの原稿の傾き角度を示している。原稿が読み取り部（水平線）に対して、図上で時計回りに回転しているとき（図４）、このときの条件はｄ１＜Ｇ／２（条件１）であり式１を利用してθｃを求める。ｄｎは、ｎを原稿読み取り後の全体のライン数の１／３としたときの原稿の位置である。条件１における回転の補正は式２（図５）を利用して行う。補正はまずＶｅｒｔｅｘ１を中心に回転させ（図５中（１））、つぎにＸ軸方向へｄ１ドット平行移動させる（図５中（２））。原稿が読み取り部（水平線）に対して、図上で反時計回りに回転しているとき（図６）、このときの条件はｄ１＞Ｇ／２（条件２）であり式３を利用してθｃを求める。このときのｄｎは、読み込みライン数ｎ後の位置ではなく図６中のＶｅｒｔｅｘ１（頂点１）の位置を求めている。条件２における回転の補正は式４（図７）を利用して行う。補正はまずＶｅｒｔｅｘ１を中心に回転させ（図７中（１））、つぎにＸ軸方向にｄｎドット、Ｙ軸方向にｎライン分（ｎドット）平行移動させる（図７中（２））。」（引用例２の３頁３欄５〜３１行、段落【００１３】）
　これらの記載より、周知例２には次のことが記載されている。
「送信する原稿の読み込み終了時、
最初のラインと数ライン後のラインのデータとから、原稿の読み込み部での角度を算出し
　
４．対比
　そこで、本願発明と引用例１記載の発明を対比すると、
　引用例１記載の発明の「原稿」、「イメージセンサ」、「原稿読取装置」はそれぞれ、本願発明の、「媒体」、「光学変換器」、「光学走査装置」に相当し、
　また、引用例１では、Ｂ４（紙幅２５７ｍｍ）のとき、イメージセンサの全長は２６９ｍｍとすることが記載されており、イメージセンサの全長は原稿の幅よりも広い幅を有するから、
　両者は、
「媒体を走査する光学走査装置において、
　前記媒体から画像データを得るように指定されている中央部及び各々が媒体の端縁を表すデータを得るよう指定されている一対の端部に分割されており、前記媒体の幅よりも広い幅を有する光学変換器
　を設けたことを特徴とする光学走査装置。」
である点で、一致しており、次の点で、相違している。
（相違点）
（相違点１）
　光学変換器の中央部と端部の分割が、本願発明のものは、論理的に分割させているのに対して、引用例１記載の発明のものは、物理的に分割されている点。
（相違点２）
　本願発明のものが、媒体の前隅の位置である第１の点及び前記媒体の端縁に沿う少なくとも１つの点の位置を表すデータを検出するように構成されたデータ分析回路を設け、前記データ分析回路は、前記前隅を表す第１のデータ点及び前記第２のデータ点、及び予め与えられたあるいは仮定された媒体の長さに基づいて前記端縁に沿った後隅を表す第３の点の位置を補外して予測するように構成されているのに対して、
引用例１記載の発明では、端部で原稿の位置ずれ、傾き等を検出すること、また、原稿サイズによっては中央部の受光素子が、画像読取および位置ずれ、傾きの検出用に用いられることが記載されており、詳細な説明においては、原稿１０の端部の検出は、各ラインごと、または、数ラインごとに行なわれ、スキュー量の測定や、原稿１０の外形の検出が行なわれ、傾斜が大きい場合は、警報を発せられると記載されているが、位置ずれ、傾きをどのように回路で、どのように検出するかは記載されていないばかりか、データ分析回路を設け、そのデータ分析回路で端縁に沿った後隅を表す第３の点の位置を予測することなど記載されていない点。
　
５．当審の判断
　そこで、これらの相違点について検討する。
（相違点１）について
　引用例１のものも、段落【００１２】では、「図中右側では、原稿１０の端部は、中央部領域４内にある。このような場合には、中央部領域４内の受光素子１を用いて、原稿１０の右端の検出を行なうように構成することができる。」と、また、段落【００１３】では、「読み取るべき原稿サイズが複数種類ある場合には、イメージセンサ８は、読み取るべき原稿サイズのうちの最大の大きさに合わせて構成される。最大サイズの原稿以外の、小さい原稿の場合、中央部の受光素子２が、画像読取および位置ずれ、傾きの検出用に用いられる。」と記載されており、イメージセンサ１の中央部領域４が原稿の端部を検出することが記載されている。これからすると、原稿の端縁を検出するように一対の端部を論理的に分割することにより、原稿の端部を検出するようにすることは当業者が容易に考えられることであると認められる。
（相違点２）について
　基準線に対しての直線の角度を２点から求めること、角度と長さより位置を求めることは三角関数においては基本である。
　さらに、原稿の傾き角度を、読み込んだ最初のラインと数ライン後のラインのデータから算出することは、例えば、上記周知例等により周知慣用のことである。（これらのものは、１ライン目の原稿の端点と数ライン目の原稿の端縁とから角度を求めている。）
　また、引用例１においても、スキュー量の求め方は明記されていないが、スキュー量の測定や、原稿１０の外形の検出について、原稿１０の端部の検出は、各ラインごと、または、数ラインごとに行われることが記載されている（引用例１の３頁４欄１〜４行）。
　これらのことより、引用例のものにおいて、必要な回路を設けて、２点から原稿の角度を検出し、さらに、当該回路にて、原稿の後端の位置を角度の原稿の長さから求めることは当業者が格別の困難性がなく行えることであると認められる。
　したがって、引用例１のものに、データ分析回路を設け、そのデータ分析回路で端縁に沿った後隅を表す位置を予測するようにすることは当業者が必要に応じて容易に考えられることである。
　
５．むすび
　したがって、本願発明は、引用例１に記載された発明、及び周知技術に基いて、当業者が容易に発明をすることができたものであるので、特許法第２９条第２項の規定により特許を受けることができない。
　よって、結論のとおり審決する。